(57)【要約】【課題】ＲＦ信号レシーバのＲＦチューナの入力における未知のインピーダンスを調整することである。【解決手段】  テレビチャンネルチューナのための電子的チューニング可能入力フィルタである。該フィルタは、入力と、出力と、第１の可変容量ダイオードと、第２の可変容量ダイオードと、第３の可変容量ダイオードと、電子的チューニング可能インタクタとを有する。電子的チューニング可能インダクタは、電子的チューニング可能入力フィルタのパスバンド周波数バンド幅にチューニングされるテレビチャンネルの期待周波数を含ませるためにインダクタ制御電圧を受信するように動作する。前記第２と第３の可変容量ダイオードは、前記電子的チューニング可能入力フィルタの前記パスバンド周波数バンド幅を調節するために第１の制御電圧を受信するように動作する。【選択図】図１
2010098747.tif 000002
【特許請求の範囲】
【請求項１】
テレビチャンネルチューナのための電子的チューニング可能入力フィルタであって、
アンテナからテレビ信号を受信するように適応した入力と、
フィルタされたテレビ信号を供給するように適応した出力と、
前記出力に接続された第１の可変容量ダイオードと、
前記入力と前記出力可変容量ダイオードと直列に結合された第２の可変容量ダイオードと、
前記入力とグランドに結合された第３の可変容量ダイオードと、
グランドと前記第１と第２の可変容量ダイオード間に結合された電子的チューニング可能インダクタとを有するフィルタであって、
前記電子的チューニング可能インダクタは、前記電子的チューニング可能入力フィルタのパスバンド周波数バンド幅にチューニングされる前記テレビチャンネルの期待周波数を含ませるためにインダクタ制御電圧を受信するように動作し、
前記第２と第３の可変容量ダイオードは、前記電子的チューニング可能入力フィルタの前記パスバンド周波数バンド幅を調節するために第１の制御電圧を受信するように動作することを特徴とするフィルタ。
【請求項２】
前記第１の制御電圧は、スケーリング信号の受信時に前記電子的チューニング可能入力フィルタの前記パスバンド周波数バンド幅を一定量増加させるように動作する、電圧スケーリング回路を介して前記第３の可変容量ダイオードに印加されることを特徴とする、請求項１に記載のフィルタ。
【請求項３】
前記第３の可変容量ダイオードは、前記第２の可変容量ダイオードに印加された前記第１の制御電圧とともに前記電子的チューニング可能入力フィルタの前記パスバンド周波数バンド幅を調整するために第２の制御電圧を受信するように動作することを特徴とする、請求項１に記載のフィルタ。
【請求項４】
前記第２の制御電圧は、スケーリング信号の受信時に前記電子的チューニング可能入力フィルタの前記パスバンド周波数バンド幅を一定量増加させるように動作する電圧スケーリング回路を介して前記第３の可変容量ダイオードに印加することを特徴とする、請求項３に記載のフィルタ。
【発明の詳細な説明】
【技術分野】
【０００１】
本発明は、テレビ等のラジオ周波数信号レシーバに関し、特にアンテナ入力特性に基づく電子的調整可能周波数特性を有する入力フィルタを持つラジオ周波数チューナに関する。
【背景技術】
【０００２】
全部でなくともほとんどのラジオ周波数（ＲＦ）信号レシーバ、例えばラジオ、テレビ、テレビ信号レシーバ等は、ＲＦ信号レシーバに入力された利用可能なラジオ周波数のスペクトルから特定のラジオ周波数を選択するチューナを含む。ＲＦ信号はアンテナおよび／またはケーブルによりレシーバに供給される。
【０００３】
ＲＦ信号レシーバ、特にテレビ信号レシーバのチューナＲＦ入力回路は、一般的に、適当な期待された性能を果たすために、ケーブルテレビシステムにより提供されるような７５Ωソースに基づき設計されている。多くのタイプのテレビアンテナは、特に「ウサギの耳」として知られる室内タイプのものは、よい７５Ωソースを提供することができない。それ自体、テレビアンテナ（および関連するケーブル）の入力インピーダンスは、７５Ωでないこともあり、関心のある周波数帯域を通じて変化し、抵抗成分と無効成分とを含む。
【０００４】
入力インピーダンスの無効部分は、チューナのＲＦ入力回路のセクションにより吸収されるであろう。抵抗成分により、ほとんどの場合、ＲＦフィルタ入力における入力変換ネットワークはネットワークの負荷Ｑに基づき正しくないバンド幅を作り出す。未知のインピーダンスにより、ＲＦ入力回路の中心周波数はシフトし、フィルタの中心周波数のチューニング間違いを引き起こす。さらにまた、ＲＦチューナ入力のアンテナおよび関連するケーブルの効果は、チューニングされた回路の正しくない抵抗によりＲＦ入力回路のバンド幅を調整することである。また、入力リアクタンスはバンド幅、中心周波数の変化を起こし、または両者の組み合わせがあるかもしれないが、異なる入力回路は別の効果を示すかもしれない。結果としてチューナの性能は、ゲインが低くなり、ノイズが大きくなり、周波数レスポンスが悪くなり、隣接チャンネル性能が悪くなる。未知のインピーダンスは他のチューニング問題を引き起こすこともある。
【０００５】
テレビ等のＲＦ信号レシーバにおいて、電子的アライメントを用いるチューナが知られている。これらのチューナは、ＲＦチューニング電圧の調整範囲をオシレータ制御電圧を中心とするアライメントシステムを用いる。基本的に、これらのチューナは調整可能な電圧制御ＲＦフィルタを用いる。アンテナおよびケーブルが上記の電子的アライメントチューナに関して用いられるとき、その効果は所望の中心周波数および／またはそのバンドパス周波数特性をはなれてフィルタのチューニングを調整することである。この「ミスチューニング」は、入力周波数範囲全体にわたって多様な程度と多様なモードで見られる。また、アンテナ、ケーブル、用いられた入力フィルタ回路のタイプに応じて変わる。
【０００６】
この米国特許出願は、２００２年４月２６日に出願されすべて共通に譲渡された、以下３件の米国仮出願の利益と優先権を主張する：米国仮出願第６０／３７６，０９９号「アンテナ特性に適応するための電子的調整可能中心周波数を有するチューナ入力フィルタ」、米国仮出願第６０／３７６，１２７号「集積された信号集積設備を有するチューナＲＦ入力フィルタ」、および米国仮出願第６０／３７６，１２８「アンテナ特性に適応するための電子的調整可能応答を有するチューナ入力フィルタ」。
関連出願との相互参照
Ｍｉｃｈａｅｌ  Ａｎｔｈｏｎｙ  Ｐｕｇｅｌ、Ｇａｒｙ  Ｄｅａｎ  Ｇｒｕｂｂｓ、Ｅｄｗａｒｄ  Ａｌｌｅｎ  Ｈａｌｌ、とＭａｘ  Ｗａｒｄ  Ｍｕｔｅｒｓｐａｕｇｈにより本出願と同日に出願された米国特許出願第１０／ｘｘｘ，ｘｘｘ号「アンテナ特性に適応するための電子的調整可能中心周波数を有するチューナ入力フィルタ」（Ａｔｔｏｒｎｅｙ  Ｄｏｃｋｅｔ  Ｎｕｍｂｅｒ  ＰＵ０２０１９０）を相互参照する。
【発明の概要】
【発明が解決しようとする課題】
【０００７】
必要なことは、ＲＦ信号レシーバのＲＦチューナの入力における未知のインピーダンスを調整する仕方であることが上記から明らかである。
【０００８】
また、必要なことは、ＲＦ信号受信への効果を通じてＲＦアンテナシステムによるインピーダンスに基づく、ＲＦ信号レシーバのＲＦチューナの入力の周波数応答の調整の仕方であることがさらに明らかである。
【０００９】
また、必要なことは、ＲＦ信号受信への効果を通じてＲＦアンテナシステムにより示されるインピーダンスに基づく、ＲＦ信号レシーバのＲＦチューナの入力の周波数応答の動的調整の仕方であることが、上記からさらに明らかである。
【課題を解決するための手段】
【００１０】
システム、装置、および／または方法は、ＲＦ信号受信アンテナのインピーダンスに基づき受信されたＲＦ信号に関して、ＲＦチューナのＲＦ入力フィルタの周波数応答を動的に変更および／または調整する。
【００１１】
一形式において、信号チャンネルにチューニングする方法であって、
（ａ）チューニングすべき信号チャンネルを選択するステップと、
（ｂ）前記電子的チューニング可能入力フィルタのパスバンド周波数バンド幅にチューニングされる前記信号チャンネルの期待された周波数を含ませる制御信号を前記信号チューナの電子的チューニング可能入力フィルタに印加することにより前記選択された信号チャンネルをチューニングするステップと、
（ｃ）チューニングされる前記信号チャンネルに対応する前記電子的調整可能フィルタに最初の制御信号を供給するステップと、
（ｄ）前記チューニングされた信号チャンネルのパラメータを測定するステップと、
（ｅ）前記測定されたパラメータに基づきフィルタに周波数応答調整が必要であるかどうか決定するステップと、
（ｆ）調整が必要であると決定されたとき、前記電子的調整可能入力フィルタに前記制御信号を調整するステップを有することを特徴とする方法が提供される。周波数応答の変化は、フィルタの中心周波数の調整および／またはフィルタバンド幅の調整の形式でもよい。
【図面の簡単な説明】
【００１２】
【図１】本発明の原理による電子的調整可能ＲＦ入力フィルタを組み込んだＲＦチューニングシステムに一例を持つテレビ信号レシーバとして実施されたＲＦ信号レシーバの簡略化したブロック図である。
【図２】周波数特性が本発明の原理によるアンテナまたはアンテナシステムの結果として生ずる入力インピーダンスに応じて電子的調整可能なＲＦ入力フィルタを組み込んだチューニングシステムを持つテレビ信号レシーバとして実施されたＲＦ信号レシーバの一例のブロック図である。
【図３】本発明が用いられる電子的アライメントを用いるチューナの一例のブロック図である。
【図４】本発明の原理によるＲＦ入力フィルタへのＲＦ信号入力におけるインピーダンスの存在に応じて対象ＲＦ入力フィルタの周波数応答を調整する仕方の一例のフローチャートである。
【図５】本発明の一態様による電子的調整可能ＲＦ入力フィルタの一例の回路図である。
【図６】本発明の一態様による他の電子的調整可能ＲＦ入力フィルタの一例の回路図である。
【図７】本発明の一態様によるブースと制御電圧スケーリング回路を組み込んだ図５の電子的調整可能ＲＦ入力フィルタの一例の回路図である。
【図８】本発明の一態様によるブースと制御電圧スケーリング回路を組み込んだ図６の電子的調整可能ＲＦ入力フィルタの一例の回路図である。
【図９】本発明の原理によるＲＦ入力フィルタへのＲＦ信号入力においてインピーダンスの存在に応じて対象ＲＦ入力フィルタの周波数応答を調整する仕方の他の一例のフローチャートである。  対応する参照文字はいくつかの図を通じて対応する部品を示す傾向がある。
【発明を実施するための形態】
【００１３】
図１を参照して、本発明が関係するＲＦ信号レシーバ２０のブロック図が示されている。ＲＦ信号レシーバ２０は、好ましくは、固定で既知のインピーダンスのアンテナを用いるのではなく、ＲＦ信号受信のためユーザにより未知のインピーダンスのアンテナに接続できるタイプであるが、必ずしもそうでなくともよい。ＲＦ信号レシーバ２０は、ユーザがＲＦ信号を受信するためにアンテナ、一般的には外部アンテナを取り付けてもよい、テレビ、ラジオ、ＶＣＲテレビ信号レシーバ、携帯電話、ワイヤレスＬＡＮ等のＲＦ信号レシーバならいかなるタイプでもよく、これらに代表されるものである。本発明の一例としての実施形態の以下の説明において、テレビレシーバは本発明の原理を組み込むのに好適なシステムの代表的な例として説明されている。しかし、テレビレシーバのコンテクストでここで説明される原理は、いかなる形式のＲＦ信号レシーバにも当てはまる。より具体的に、本発明の以下の説明において、ＲＦ信号レシーバは、典型的にはテレビチャンネル（すなわち、異なる周波数のテレビ信号）の形式で  テレビ信号を受信するテレビまたはテレビ信号レシーバ（ＴＳＲ）として説明される。しかし、本発明は、テレビチャンネル、ラジオチャンネル、ワイヤレスネットワーク接続チャンネル、携帯電話チャンネル等を含むがこれだけには限定されない様々なタイプの信号チャンネルを選択する、上で特定されたタイプの信号レシーバを含むが限定はされないすべてのタイプのＲＦ信号レシーバで用いられてもよいということを認めるべきである。
【００１４】
テレビ２０は、アンテナシステム２４に接続されるように動作する、適応した、および／または構成された第１の信号入力３０を含む。アンテナシステム２４は、アンテナ２６および関連したケーブル２８を含む。ケーブル２８は、アンテナ２６と、アンテナ２６により受信したテレビ信号２１をテレビ２０に提供するアンテナ入力とに取り付けられている。アンテナ２２は、テレビ信号を受信するように適応した、構成されたおよび／または動作するいかなるタイプでもよく、室内アンテナでも屋外アンテナでもよい。室内アンテナの例としては、「ウサギの耳」タイプのアンテナとして知られているものがある。すべての場合に、アンテナシステム２４は、送信された、または放送電波として放送されたテレビ信号２１を受信する。さらにまた、アンテナ２６は、アナログおよび／またはデジタルのテレビ信号用であってもよい。さらに、アンテナシステム２４は、未知の抵抗および／または無効成分により構成された未知のインピーダンスＺ（ボックス２９により表す）を提供する。インピーダンス２９はアンテナ入力３０に生ずる。アンテナからのこのインピーダンスは、名目的な７５Ωとは異なっていることがあり、チューナにより受信されるすべてのチャンネルである点で異なることがある。
【００１５】
テレビ２０は、ケーブルテレビ（ＣＡＴＶ）システム３２に接続されるように動作する、適応した、および／または構成された第２の信号入力３８も含む。ＣＡＴＶシステム３２は、複数のテレビ信号を提供するＣＡＴＶプロバイダまたはヘッドエンド３４とケーブル３６とを含む。ケーブル３６は、ＣＡＴＶ３４を第２の入力３８に接続する。ＣＡＴＶシステム３２は、既知のまたは名目的インピーダンス、一般には７５Ωを提供する。本発明の原理によると、チューニングシステム２２、および特にＲＦチューナ４０は、ＣＡＴＶシステム３２とそのケーブルにより提供された既知の適切な７５Ωソースに基づき設計されている。テレビ２０は、より多くのテレビ信号入力を持っていてもよいということは認めるべきである。
【００１６】
第１の（アンテナ）入力３０と第２の（ＣＡＴＶ）入力３８は、入力セレクタ４８に接続されている。入力セレクタ４８は、一般的にＲＦスイッチとして知られており、アンテナ入力３０またはＣＡＴＶ入力３８（またはテレビが持つ他のいかなるテレビ信号入力でも）いずれかを選択するように動作し、適応し、構成されている。テレビ２０は、選択された入力のテレビチャンネルを提供する。代わりに、他の実施形態はこの入力セレクタを含まなくてもよいが、ケーブルまたはアンテナいずれかの１つの接続のみ可能である。チューナは、この共通の入力にアンテナが接続されているかケーブルが接続されているかに応じてユーザの制御を通じて再プログラムされる。
【００１７】
アンテナ入力３０が選択されたとき、入力インピーダンス２９はテレビ、より具体的にテレビのチューニングシステム２２に生じる。ここで示したように、上記インピーダンスは名目値とは異なり、チューニングシステム２２の周波数応答を変化させ、それによりそのチューニング性能を変化させる。
【００１８】
ＲＦ信号レシーバ２０は、多様な周波数の複数のテレビ（ＴＶ）信号を受信し、特定のＴＶ周波数またはチャンネルを選択またはチューニングするように動作し、適応し、および／または構成される、一般的に２２で指示されるＲＦ信号チューニングシステム（チューニングシステム）を含む。チューニングシステム２２は、一般的にはユーザ入力を介した特定のテレビチャンネルの選択に応じて特定のテレビチャンネルにチューニングするように動作し、構成され、および／または適応したチューナ４０を含む。このために、テレビ信号レシーバ２０は、チャンネル選択要求を受信し、チューナ４０が選択されたチャンネルにチューニングするためにチューナ４０に要求信号を供給するように動作し、適応し、および／または構成されたチャンネル選択回路／ロジック４４を含む。
【００１９】
チューニングシステム２２は、チューナ４０からチューニングしたテレビ信号を受信する信号処理回路／ロジック４６をさらに含む。信号処理回路／ロジック４６は、テレビチャンネルのビデオ部分を表示し、そのオーディオ部分を再生するために、本技術分野で知られているように、チューニングされたテレビ信号に信号処理を施す。さらにまた、本発明の原理により、および下でさらに説明するように、信号処理回路／ロジック４６はチューニングシステム２２のチューニング制御回路／ロジック４２に制御信号を供給する。チューニング制御回路／ロジック４２は、本発明の原理により周波数応答を調整するために、チューナ４０のチューニング可能部品に電圧信号を供給する。
【００２０】
特に、チューニングシステム２２は、アンテナシステム２４のインピーダンス２９に基づき、チューナ４０の周波数応答調整をするように動作し、適応し、および／または構成されている。上記の周波数応答調整は、好ましくは、動的におよび／またはチューニングされた各周波数（チャンネル）に関してなされる。特に、チューナ４０において、アンテナ入力３０において生じるインピーダンス２９によりアンテナシステム２４によりチューナ４０に生じるミスチューニング効果を補償する。チューナ４０の周波数応答は、チューニングされたチャンネルの１以上の測定されたパラメータに基づき、独立のまたは準独立の制御電圧信号で電子的に調節可能である。周波数応答調整は、チューナの中心周波数、バンドパス周波数範囲の調整、および／またはバンドバス周波数範囲の変更を含んでもよい。
【００２１】
図２を参照して、本発明の原理によるテレビ信号レシーバ（テレビ）２０または他のテレビ信号レシーバのより詳細なブロック図が示されている。図２のテレビは、図１の実施形態と共に説明したのとほぼ同じように動作する。しかし、図２の実施形態は、本発明の実施の他の仕方を提供するものである。
【００２２】
この実施形態において、チューナ４０は、好ましくは、電子的アライメントを用いるタイプのチューナであるが、必ずしもその必要はない。チューナ４０は、フィルタまたはそのフィルタ特性（すなわち、パスバンド信号範囲またはバンドパス周波数範囲等の周波数応答および／またはパスバンド周波数範囲の中心周波数）を変更するために制御電圧信号等の制御信号を用いる電子的チューニング可能または調整可能フィルタ１６等のチューニング可能フィルタを含む。チューナ４０のチューニング可能フィルタは入力フィルタである。すなわちチューナ４０の入力に置かれている。チューニング可能フィルタは、デジタル・ツー・アナログコンバータ（ＤＡＣ）でもよい制御電圧ジェネレータ５８から制御電圧を受信する。チューナ４０のチューニング可能フィルタは、入力インピーダンス２９に応じてそのパスバンド周波数範囲（バンドパス周波数範囲）内でチューニング可能である。特に、チューナ４０の入力フィルタの周波数応答は、インピーダンス２９に応じて調整可能である。よって、チューニング可能フィルタのパスバンド周波数範囲および／または中心周波数は調整されてもよい。本発明の原理により、チューニング可能フィルタのパスバンド周波数範囲および／または中心周波数はテレビチャンネルに関する。１つの形式において、パスバンド周波数範囲および／または中心チャンネルは、各テレビチャンネルについて（すなわち、テレビチャンネルがチューニングされるたびになされる）動的に調整される。
【００２３】
テレビ２０は、テレビの様々な部品の動作を処理するプロセッサ５０を含む。プロセッサ５０は、ここで説明した機能および／または特徴を提供するためにプログラム命令５２を実行する。テレビ２０は、値、嗜好等を記憶する本技術分野において知られたメモリ５４を含んでもよい。プロセッサ５０は、制御電圧ジェネレータ５８と同様に、チャンネル選択回路／ロジック４４、信号処理回路／ロジック４６を制御する。制御電圧ジェネレータ５８は、本発明により動作するチューニング可能フィルタを含む、チューナ４０に必要な制御電圧を供給する。上記の実施形態において、チューニングプロセスは、ユーザがチャンネルを選択することである。チャンネル情報は、正しいまたは適当なＬＯの合成のためにフェーズロックループ（ＰＬＬ）に送られ、直接的または間接的にいずれかにＲＦフィルタで用いることができるチューニング電圧を生成する。その後、フィルタのためのＲＦ電圧は、直接的、間接的、またはＰＬＬのＬＯチューニング電圧とは独立に生成される。
【００２４】
チューナ４０の入力フィルタの調整を開始するかどうかの決定は、測定回路／ロジック５６により部分的に達成される。測定回路／ロジック５６は、チューナ４０からチューニングしたチャンネルを受信し、その信号の測定を実行する。測定のタイプは、テレビ信号がアナログ信号かデジタル信号かにより決まる。他の計量を用いてもよいが、自動ゲイン制御（ＡＧＣ）信号はアナログ信号のために用いてもよく、一方、ＡＧＣおよび／または信号品質はデジタル信号のために用いてもよい。
【００２５】
図３を参照して、本発明の原理によるチューニング可能入力フィルタを組み込んだ電子的アライメントを用いるチューナ４０の一例のブロック図が示されている。チューナ４０は、ＶＨＦ（より詳細には、２つのＶＨＦバンド、バンド１と２）とＵＨＦテレビ信号等のＲＦテレビ信号のいくつかのバンドを受信し、選択されたテレビチャンネルに応じて、ＩＦ（中間周波数）テレビチャンネル信号を供給するように動作する。
【００２６】
ＲＦ信号は、ケーブルシステム３４またはアンテナシステム２４いずれかからテレビ信号（チャンネル）を供給する入力セレクタ４８から受信される。受信されたテレビチャンネルは、ＶＨＦバンドからＵＨＦバンドを分離するように動作するＵ／Ｖ（ＵＨＦ／ＶＨＦ）スプリッタ２０２により受信される。Ｕ／Ｖスプリッタ２０２は、選択されたチャンネルがＶＨＦバンドテレビ信号であるとき、制御信号ＢＳＶ（バンド選択ＶＨＦ）を受信する。制御信号ＢＳＶは、フェーズロックループ（ＰＬＬ）ＩＣの付加機能としてここに示した集積回路２２２により生成される。制御信号ＢＳＶは、チャンネル選択信号に応じてＰＬＬ２２２により生成される電圧である。これはプロセッサ５０の制御下にあってもよい。
【００２７】
チューナ４０は、ＵＨＦ処理部分２０４、ＶＨＦ処理部分２０６、ミキサ／オシレータ部分２１４、ＰＬＬ２２２、および電圧制御ジェネレータ（５８）機能を提供してもよいデジタル・ツー・アナログコンバータ（ＤＡＣ）２２４を持つ。ＵＨＦ処理部分２０４は、チャンネル選択に応じて、特定のＵＨＦチャンネル（特定のテレビ信号）にチューニングするように動作する。ＶＨＦ処理部分２０６は、チャンネル選択に応じて、特定のＶＨＦバンド（ここでは２つのＶＨＦバンドのうちの１つ）内の特定のＶＨＦチャンネル（特定のテレビ信号）にチューニングするように動作する。
【００２８】
ＵＨＦ処理部分２０４は、Ｕ／Ｖスプリッタ２０２の出力を受信するように、Ｕ／Ｖスプリッタ２０２に接続された、本発明の原理による調整可能またはチューニング可能入力フィルタとしてシングルチューンド（ＳＴ）入力フィルタ２０８を含む。特に、ＵＨＦ信号は、Ｕ／Ｖスプリッタ２０２からチューニング可能入力フィルタ２０８により受信される。チューニング可能入力フィルタ２０８は、設計パラメータ、特に連続アナログ電圧に応じて特定の電圧範囲で動作する。制御電圧信号は、ＳＴで指示され、チューニング可能入力フィルタ２０８の周波数応答を本原理により調整可能とするチューニング可能入力フィルタ２０８により受信される。ＤＡＣ２２４は、記憶されたオフセット信号（ローカルオシレータＬＯに関して準独立制御電圧信号）を用いてまたは用いずにチューニング可能入力フィルタの制御電圧を作るためのＬＯチューニング電圧を用いてもよい、または、制御電圧ＳＴは、チャンネル選択信号に応じてローカルオシレータ（ＬＯ）から独立の電圧ジェネレータによりチューニング可能入力フィルタ２０８に供給されてもよい。電圧信号ＳＴは、シングルチューンドフィルタ２０８を選択されたチャンネルにチューニングし、その周波数応答を調整可能とする。
【００２９】
チューニング可能入力フィルタ２０８の出力は、ＲＦアンプ（アンプ）２１０に供給される。ＲＦアンプ２１０は、テレビ信号レシーバにより作られたＲＦ  ＡＧＣ（自動ゲインコントロール）信号によって、チューニング可能入力フィルタ２０８からのＲＦ  ＵＨＦ信号を増幅するように動作する。ＲＦアンプ２１０は、ＰＬＬ２２２により生成された、およびＰＬＬ２２２からのＵＨＦバンド選択信号（ＢＳＵ）を受信するようにも動作する。ＵＨＦバンド選択信号ＢＳＵは、チャンネル選択信号に応じてＰＬＬにより生成される。バンド選択信号ＢＳＵは、基本的に、ＲＦアンプ２１０のオン／オフ信号である。
【００３０】
ＲＦアンプ２１０の出力は、ダブルチューンド（ＤＴ）フィルタ２１２に供給される。この実施形態において、ダブルチューンドフィルタ２１０は、０から５ボルト（０−５Ｖ）の範囲で動作する。他の方法、例えばＬＯチューニング電圧と同様なおよびそれからより直接的に導かれた電圧を用いる可変リアクタンス（例えば、電圧可変リアクタンスまたは可変容量ダイオード）フィルタ方法が用いられてもよいということは認めるべきである。特に、ダブルチューンドフィルタ２１０は、０−５Ｖの連続的アナログ電圧にわたって動作する。ＰＲＩと示された０−５Ｖ信号は、ＤＡＣ２２４から受信される。ＤＡＣ２２４は、チャンネル選択信号に応じて０−５Ｖ信号（すなわち、連続的アナログ０−５Ｖ信号）ＰＲＩを生じる。ＰＲＩ電圧信号は、ダブルチューンドフィルタ２１２の第１部分を選択されたチャンネルにチューニング可能とする。ＳＥＣと示された０−５Ｖ信号も、ＤＡＣ２２４から受信される。ＤＡＣ２２４は、チャンネル選択信号に応じて０−５Ｖ信号（すなわち、連続的アナログ０−５Ｖ信号）ＳＥＣを生じる。ＳＥＣ電圧信号は、ダブルチューンドフィルタ２１２を選択されたチャンネルにチューニング可能とする。
【００３１】
ダブルチューンドフィルタ２１２の出力は、ＩＣの形式で示したミキサ／オシレータ２１４に供給される。ミキサ部分とオシレータ部分は分離していてもよいが、結合して示されているということは認めるべきである。特に、ダブルチューンドフィルタ２１２の出力は、ミキサ２２８に供給される。ＵＨＦローカルオシレータ（ＬＯ）２２６は、ミキサ２２８に接続された出力を持つ。ＵＨＦ  ＬＯ２２６は、ＰＬＬ２２２からローカルオシレータ（ＬＯ）チューニング電圧信号を受信し、チューニングされたローカルオシレータ信号を生成するように動作する。ＬＯチューニング電圧信号は、チャンネル選択信号に応じてＰＬＬにより作られる。ＬＯチューニング電圧信号は、０から３０ボルト（０−３０Ｖ）のアナログ電圧信号である。ＵＨＦ  ＬＯ２２６も、ＬＯ駆動信号の形式でＰＬＬ２２２にフィードバックされる。
【００３２】
ＵＨＦミキサ２２８は、ＵＨＦ  ＬＯ２２６からのチューニングされたＵＨＦローカルオシレータ信号をダブルチューンドフィルタ２１２の出力信号（選択されたチャンネル）と結合または混合する。ミキサ２２８の出力は、ダブルチューンド中間周波数（ＩＦ）フィルタ２３４に供給される。ダブルチューンドＩＦフィルタ２３４は、ＩＦアンプ２３６に出力を供給する。ＩＦアンプ２３６からの増幅されたＩＦ信号（選択されたテレビチャンネル）は、測定回路／ロジック５６に供給される。
【００３３】
ＶＨＦ処理部分２０６は、Ｕ／Ｖスプリッタ２０２を受信するようにＵ／Ｖスプリッタ２０２に接続される、本原理による調整可能またはチューニング可能フィルタとしてシングルチューンド（ＳＴ）入力フィルタ２１６に含まれる。特に、ＶＨＦ信号は、Ｕ／Ｖスプリッタ２０２からチューニング可能入力フィルタ２１６により受信される。チューニング可能入力フィルタ２１６は、設計パラメータ、特に連続的アナログ電圧に応じて特定の電圧範囲にわたって動作する。ＳＴと示された制御電圧信号は、チューニング可能フィルタ２１６の周波数特性を本原理により調整可能とするチューニング可能入力フィルタ２１６により受信される。ＤＡＣ２２４は、記憶されたオフセット信号または電圧（ＬＯに関する準独立制御信号）を用いてまたは用いないでチューニング可能入力フィルタ２１６のために制御電圧を作るためにＬＯチューニング電圧を用いてもよい。または、チューニング可能入力フィルタ２１６に供給された制御電圧（ＳＴ）は、チャンネル選択信号に応じてＬＯから独立な電圧ジェネレータにより供給されてもよい。電圧信号ＳＴは、シングルチューンドフィルタ２１６を選択されたチャンネルにチューニングし、その周波数応答を調整可能とする。
【００３４】
また、チューニング可能入力フィルタ２１６はＰＬＬ２２２により作られ、それゆえＰＬＬ２２２からのバンド選択信号（ＢＳ１／２）を受信するように動作する。バンド選択信号（ＢＳ１／２）は、２つのＶＨＦバンドの一方を選択する。特に、バンド選択信号（ＢＳ１／２）は、チャンネル選択信号から導かれたオン／オフ信号である。
【００３５】
チューニング可能入力フィルタ２１６の出力は、ＲＦアンプ２１８に供給される。ＲＦアンプ２１８は、テレビ信号レシーバにより作られたＲＦ  ＡＧＣ（自動ゲイン制御）信号によりチューニング可能入力フィルタ２１６からのＲＦ  ＶＨＦ信号を増幅するように動作する。ＲＦアンプ２１８も、ＰＬＬ２２２により生成されたＶＨＦバンド選択信号（ＢＳＶ）をＰＬＬ２２２から受信するように動作する。ＶＨＦバンド選択信号ＢＳＶは、チャンネル選択信号に応じてＰＬＬにより生成される。バンド選択信号ＢＳＶは、本質的に、ＲＦアンプ２１８用のオン／オフ信号である。
【００３６】
ＲＦアンプ２１８の出力は、ダブルチューンド（ＤＴ）フィルタ２２０に供給される。ダブルチューンドフィルタ２２０は、０から５ボルト（０−５Ｖ）の範囲にわたって動作する。特に、ダブルチューンドフィルタ２２０は、０から５ボルト（０−５Ｖ）の連続アナログ電圧にわたって動作する。ＰＲＩと示した０−５Ｖ信号は、ＤＡＣ２２４から受信される。ＤＡＣ２２４は、チャンネル選択信号に応じて０から５ボルト信号（すなわち、連続的アナログ０−５Ｖ信号）ＰＲＩを作る。ＰＲＩ電圧信号は、ダブルチューンドフィルタ２２０の第１部分を選択されたチャンネルにチューニング可能とする。ＳＥＣと示された０−５Ｖ信号も、ＤＡＣ２２４から受信される。ＤＡＣ２２４は、チャンネル選択信号に応じて、０から５ボルト信号（すなわち、連続的アナログ０−５Ｖ信号）ＳＥＣを作る。ＳＥＣ電圧信号は、ダブルチューンドフィルタ２２０の第２部分を選択されたチャンネルにチューニング可能とする。
【００３７】
また、ダブルチューンドフィルタ２２０は、ＰＬＬ２２２により作られたバンド選択信号（ＢＳ１／２）をＰＬＬ２２２から受信するように動作する。バンド選択信号（ＢＳ１／２）は、２つのＶＨＦバンドのうち一方を選択する。特に、バンド選択信号（ＢＳ１／２）は、チャンネル選択信号から導かれたオン／オフ電圧信号である。バンド選択信号（ＢＳ１／２）は、シングルチューンドフィルタ２１６に供給されたものと同じである。
【００３８】
ダブルチューンドフィルタ２２０は、ミキサ／オシレータ２１４に備えられており、ＩＣの形式で示されている。ミキサ部分とオシレータ部分は別々でもよいが、結合して示されていることを分かるべきである。特に、ダブルチューンドフィルタ２２０の出力はミキサ２３２に供給される。ＶＨＦローカルオシレータ（ＬＯ）は、ミキサ２３２に接続された出力を持つ。ＶＨＦ  ＬＯ２３０は、ＰＬＬ２２２からローカルオシレータ（ＬＯ）チューニング電圧信号を受信し、チューニングされたローカルオシレータ信号を生成する。ＬＯチューニング電圧信号は、チャンネル選択信号に応じてＰＬＬにより作られる。ＬＯチューニング電圧信号は、０から３０ボルト（０−３０Ｖ）のアナログ電圧信号である。ＶＨＦ  ＬＯ２３０は、ＬＯ駆動信号の形式でＰＬＬにもフィードバックされる。
【００３９】
ＶＨＦミキサ２３２は、ＶＨＦ  ＬＯ２３０からのチューニングされたＶＨＦローカルオシレータ信号をダブルチューンドフィルタ２２０の出力信号（選択されたチャンネル）と結合または混合する。ミキサ２３２の出力は、ダブルチューンド中間周波数（ＩＦ）フィルタ２３４に供給される。ダブルチューンドＩＦフィルタ２３４は、その出力をＩＦアンプ２３６に供給する。ＩＦアンプ２３６からの増幅されたＩＦ信号（選択されたテレビチャンネル）は、測定回路／ロジック５６に供給される。
【００４０】
測定回路／ロジック５６は、他の機能に加えて、それぞれのチューニング可能入力フィルタのチューニングを決定するために用いられる。測定回路／ロジック５６は、チューニングされているテレビチャンネルの特定の周波数のまわりの比較的広い周波数範囲内のテレビ信号のパラメータ（例えば、ＡＧＣ、信号強度等）を確かめるように動作するワイドバンドディテクタ２３８を含む。この点において、受信した信号はいくつかのテレビチャンネルを含んでいるであろう。これにより、受信されている信号が、チャンネル選択に応じてチューニングされるべきテレビチャンネルの周波数であるか、チューニングされている隣接テレビチャンネルの周波数であるかを決定する助けとなる。本発明の動作の仕方に関して説明したように、テレビ２０は、アンテナシステム２４を介して受信されているテレビチャンネルのすべてを確かめる。
【００４１】
ワイドバンド検出２３８が一旦達成されると、テレビ信号はアンプ２４０に供給される。その後、増幅されたテレビ信号はＳＡＷフィルタ２４２に供給される。ＳＡＷフィルタ２４２は、テレビ信号を単一のテレビチャンネルに限定し、隣接する望ましくない信号は受け付けないように試みる。その後、テレビ信号は、ナローバンド検出器２４４に供給される。ナローバンド検出器２４４は、チューニングされているテレビチャンネルの特定の周波数の周りの比較的狭い周波数レンジ内のテレビ信号のパラメータ（例えば、ＡＧＣ、信号強度等）を確かめるように動作する。これにより、チューニング可能入力フィルタが選択されたテレビチャンネルに最適にチューニングされているかどうかを決定する助けとなる。その後、テレビ信号は後続の処理に供される。
【００４２】
チャンネル選択信号は、必ずではないが一般的に、ユーザ入力におうじて電子的アライメントシステムを持つテレビ信号レシーバにより作られる。チャンネル選択信号は、ＤＡＣ２２４とＰＬＬ２２２に供給される。チャンネル選択信号を他のやり方で供給することもできるが、電子的アライメントシステム２００はＩ２Ｃ（ＩＩＣ）を用いるものとして示した。Ｉ２Ｃクロック線とＩ２Ｃデータ線がＤＡＣ２２４とＰＬＬ２２２に接続されて示されている。ＰＬＬ２２２とＤＡＣ２２４は両方とも、ＤＡＣ２２４の場合は０から５ボルト（０−５Ｖ）、ＰＬＬ２２２の場合は０から３０ボルト（０−３０Ｖ）の連続的範囲に入るアナログ電圧信号を作る。
【００４３】
要約すると、テレビ２０は、チューナの一部として電子的チューニング可能入力フィルタ（例えば、２０８、２１６）を含む。チューニング可能入力フィルタは、それに適用される制御電圧を介して通過できる周波数レンジにチューニング可能である。フィルタ６０の周波数レンジと中心周波数は、それに印加される制御電圧を変化させることにより制御可能である。制御電圧は、ここで供給される受信されたテレビ信号の性能測定に応じて作られる。本発明の原理によると、これによりチューナ４０の設計で考慮されなかったインピーダンス２９の名目値からの変化の効果についてチューナ４０を補償することができる。
【００４４】
本発明の原理によると、チューナ４０はプロセッサ５０の制御下において、特定のテレビチャンネルにチューニング可能である。チューナ４０の出力は、測定回路／ロジック５６に結合される。測定回路／ロジック５６は、中心周波数調整、周波数バンド、またはレンジ（バンドパスレンジ）の形式のチューニング可能入力フィルタの周波数応答調整がチューニング可能入力フィルタに必要であるかどうかを決定するために、チューニングされたテレビチャンネルの性能測定（計量）を取得するよう動作し、構成され、適応している。測定回路／ロジック５６は、テレビ信号がアナログであるかデジタルであるかに応じて、ＲＦ  ＡＧＣ（自動ゲイン制御）の計量、信号品質、またはそれ以外のものをその他の考慮と同様に調べてもよい。測定値は分析のためプロセッサ５０に供給される。
【００４５】
プロセッサ５０は、ここに説明した機能を提供するため、ＲＯＭ等のメモリに記憶されたプログラム命令５２により制御される。プロセッサ５０は、信号測定値を取得し、信号品質の向上が望まれるかどうかを決定する。信号品質の向上が必要ないと決定されたとき、メモリ５４に前に記憶された制御電圧データは、制御電圧ジェネレータ５８を、チューニング可能入力フィルタに所望の制御電圧を供給可能とするために用いられる。この制御電圧データは、７５ΩＣＡＴＶ入力のために設計されたような（または信号入力システム「のために設計された」その他のもののような）チューナ６２の「名目的」データである。
【００４６】
信号品質の向上が必要であると決定されたときは、プロセッサ５０は、制御電圧ジェネレータ５８にチューニング可能入力フィルタに供給された制御電圧を調整させる。これにより、そのフィルタ周波数レンジおよび／または中心周波数が変化する。その後、新しい測定がなされる。制御電圧の調整は、好ましくは、チューニング可能フィルタ６０の中心周波数を上げ、チューニング可能入力フィルタの中心周波数または周波数レンジを下げ（それぞれ７５ΩＣＡＴＶ入力に係る名目周波数に対し）るために行われ、その後毎回測定が行われる。より最適な制御電圧が保持される。このプロセスは、好適な信号品質が得られ、制御がプリセットの限界になるまで、またはそれ以上向上しなくなるまで、繰り返される。
【００４７】
一旦調整が完了すると、この新しい制御電圧値がメモリ５４に記憶される。プログラム命令は、様々な理由のため再調整も許容する。図面に示し上で説明したブロックは、必ずしも別々の部品、回路等ではなく、テレビ２０の機能を示すことは理解すべきである。いくつかのブロックは、テレビの実際の部品を表すかもしれない。
【００４８】
図４を参照して、本発明の原理により、ＲＦチューナへの入力においてインピーダンス補償、特に電子的調整可能ＲＦ入力フィルタの周波数応答の電子的調整を提供するやり方の一例のフローチャートが、６０で参照され示されている。その方法はテレビ信号レシーバ（例えば、テレビ）中のチューナに関して説明するが、本発明は他のタイプのＲＦ信号レシーバにより用いられてもよいことを初めに理解すべきである。補償は、チューニング可能入力フィルタの中心周波数の調整と、チューニング可能入力フィルタのバンドパス周波数レンジの調整等である。
【００４９】
ブロック（ステップ）６２において、アンテナテレビ信号入力が選択される。その後、ブロック６４において、特定のテレビチャンネルが選択される。ブロック６６において、テレビは選択されたテレビチャンネルにチューニングされる。選択されたテレビチャンネルにチューニングされた後、ブロック６８において、選択されたテレビチャンネルのパラメータが測定される。ブロック７０において、チューニングされたテレビチャンネルの測定されたパラメータから、チューニングされたテレビチャンネルの信号品質が決定される。
【００５０】
ブロック７２において、チューニング可能入力フィルタの周波数応答が調整される。その後、ブロック７４において、測定、決定、および調整がチューニングされているテレビチャンネルの最良の信号品質が達成されるまで繰り返される。チューニング可能入力フィルタの調整は、その周波数応答が、特定のテレビチャンネルのノーマル周波数と比較して、アンテナのインピーダンスによりシフトされ、チューニングされているテレビチャンネルの周波数に対応する中心周波数を持つことである。チューニング可能入力フィルタの調整は、その周波数応答が、特定のテレビチャンネルのノーマル周波数と比較して、アンテナのインピーダンスによりシフトされるように、チューニングされているテレビチャンネルの周波数を含む透過可能周波数レンジを持つことである。
【００５１】
図５を参照して、図３の電子的アライメントチューナ４０のシングルチューンドフィルタ２０８または２１６として用いることができるチューニング可能入力フィルタの一例が、１００として参照され、示されている。チューニング可能入力フィルタ１００は、その入力トランス１１０が可変である。チューニング可能入力フィルタ１００は、アンテナ入力（「アンテナから」）とフィルタの出力（可変容量ダイオード１０６とアンプ（電界効果トランジスタ）１０８を介して）とシャント構成された第１の可変容量ダイオード１０２を持つ。アンプ１０８は、ＡＧＣを提供し、ラジオ周波数（ＲＦ）ダブルチューンド（ＤＴ）フィルタに接続された出力を持つ。第２の可変容量ダイオード１０４は、アンテナとフィルタの出力と直列に備えられている。必要に応じて様々なコンデンサと抵抗が備えられている。この構成により、変換率の調整が可能となる。同じ制御電圧（チューニング電圧１）が可変容量ダイオード１０２と１０４に供給される。制御電圧は、両方の可変容量ダイオードに共通であるが、ローカルオシレータ電圧からは独立している方が好ましい。
【００５２】
図６において、図５のチューニング可能フィルタ１００と同じ回路要素と構成を持つチューニング可能入力フィルタ１００が示されている。しかし、図６のチューニング可能フィルタ１００において、各可変容量ダイオードに別々の制御電圧が印加される。特に、制御電圧としてのチューニング電圧１が直列の可変容量ダイオード１０４に供給されるが、一方、別の制御電圧としてのチューニング電圧２がシャント可変容量ダイオード１０２に印される。この場合、フィルタの変換率とチューニング周波数両方の調整を順次可能とする制御電圧に基づき、各可変容量ダイオードの容量の連続的に可変な調整が可能となる。
【００５３】
可変容量ダイオードの容量値は、適当な動作のために適宜選択されるべできあることは理解すべきである。１つの基準は、容量値は相互に異なってもよいことである。さらにまた、意味のある調整レンジとするために、各ダイオードは名目動作レンジにわたって余分な調整レンジを有する必要がある。
【００５４】
上記のチューニング可能入力フィルタの一例は、特にオフエア放送受信（アンテナ）が選択されているとき、調整を通じて、それが一部であるチューナのチューニング性能を向上させるように動作する。特に、図５と６のフィルタは、チューナのオフエアアンテナインピーダンスの結果として、シフトまたは「ミスチューニング」を補償するために調整可能周波数レンジ（周波数応答）を提供する。
【００５５】
図７を参照して、図３の電子的アライメントチューナ４０のシングルチューンドフィルタ２０８または２１６として用いられてもよい、チューニング可能入力フィルタが１００ａとして参照され、示されている。フィルタ１００ａの構成は、ブースと制御電圧スケーリング回路１１２を除き、図５のフィルタ１００の構成と同じである。ブースと制御電圧スケーリング回路１１２は、チューニング電圧１とシャント可変容量ダイオード１０２ａとの間に備えられている。ブースと制御信号入力は、所望であればブースと制御信号を供給するブースと制御電圧スケーリング回路１１２に供給される。
【００５６】
ブースと制御電圧スケーリング回路１１２がブースと制御信号により起動されているとき、シャント制御電圧（チューニング電圧１）は電圧を下にスケーリングする（固定的にインクリメントする）ブースと電圧スケーリング回路１１２を透過する。可変容量ダイオード１０２ａの容量はより大きくなり、変換率を減少、負荷Ｑを増加、バンド幅を減少させる。このバンド幅の典型的な式は、バンド幅として２つのキャパシタの割合を関係させる。バンド幅は、Ｃ１０２とＣ１０４の二乗和をＣ１０４の二乗で割った値に比例する。この場合、フィルタ１００ａは、図５のフィルタ１００のように調整されたものではなく、既知のバンド幅増加を与える。
【００５７】
図８において、フィルタ１００ａは、図６のフィルタと同様に、２つの制御電圧、チューニング電圧１とチューニング電圧２を用いる。この構成において、スイッチされたバンド幅は、図７のフィルタのバンド幅より大きい。
【００５８】
図５−８の上記フィルタは電子的アライメントを持つチューナとともに用いられないかもしれないが、一方、電子的アライメントまたは調整を有するチューナに上記フィルタを使用すると、効率的に広いバンド幅を有する周波数応答を最中心化する（またはバンド幅を変更し、ひとまとめにしてそれの周波数応答を変更する）ために、一方または両方のダイオード（どのフィルタが使用されるかによる）の制御電圧を変更することができる。再度、ダイオードの容量値は、適当な動作をするように決めねばならないが、互いに異なっている必要がある。意味のある調整レンジを許容するため、各ダイオードは名目的動作範囲にわたる余分な調整範囲を有している必要がある。
【００５９】
図９を参照して、本発明の原理による、ＲＦチューナへの入力におけるインピーダンスを補正、特に電子的調整可能ＲＦ入力フィルタの周波数応答の電子的調整のやり方の他の例を、１５０と参照して示すフローチャートが示されている。上記周波数応答調整は、チューニングされているテレビチャンネルに関して、またはチューニングされているテレビチャンネルを含むバンド幅に関して、中心周波数の調整であってもよい。説明した方法はテレビ信号レシーバ（例えば、テレビ）のチューナに関するが、本発明は他のタイプのＲＦ信号レシーバにより用いられてもよいことは初めに理解しているべきである。
【００６０】
ブロック（ステップ）１５２において、テレビがチューニングされ、オートサーチルーチンが起動される。テレビは、一般的にはアンテナおよびケーブルシステムの一方だけに接続され、両方同時には接続されないから、オートサーチルーチンは一般にテレビの初期設定の間にのみ実行される。しかし、テレビがある期間の間電源につながれていないとき（または電気がオフのとき）、オートサーチルーチンは再度起動されてもよい。一旦、オートサーチルーチンが起動されると、ブロック１５４において、オートサーチルーチンは、テレビがケーブルテレビ（ＣＡＴＶ）システムを介して（すなわち、ケーブル）、またはアンテナを介して放送電波で（すなわち、エア）テレビチャンネル（信号）を受信しているかどうかを評価する。上記の評価は様々なやり方で達成することができるかも知れないが、一つのやり方は、テレビ信号（アンテナまたはケーブル）入力をピックアップし、１以上の特定のテレビチャンネルにチューニングするよう試み、有粉テレビ信号が得られるかどうか調べることである。選択されたテレビ信号入力が有効なテレビ信号を何も生じないとき、サーチと決定の方法を更新して他のテレビ信号入力を選択する。別のルーチンとして、テレビは、テレビ信号のソースとしてＣＡＴＶシステムが用いられているかアンテナが用いられているかを選択するようユーザに要求してもよい。
【００６１】
ケーブルがテレビ信号入力として使用されているとテレビ（または、場合によってはユーザ）が決定したとき、ブロック１５６で、本発明の電子的調整可能ＲＦフィルタの工場デフォルト設定（例えば、制御電圧）が使用される。上で示したように、電子的調整可能ＲＦフィルタの設定は、７５ΩＣＡＴＶケーブルシステムに基づく。テレビ信号入力としてアンテナ（エア）が用いられているとテレビ（または、場合によってはユーザ）が決定すると、方法１５０はブロック１５８に行く。
【００６２】
ブロック１５８において、見つかったテレビチャンネルはチャンネルリストに記録または記憶される。また、各テレビチャンネルについてＡＧＣ設定および／または信号品質等の信号レベルパラメータに基づき（テレビ信号がアナログ、ＮＴＳＣであるか、デジタル、ＡＴＳＣであるかに応じて）およその信号レベルが記憶される。ブロック１６０において、テレビチャンネルはエア（アンテナ）モードでチューニングされる。ブロック１６２において、チューニングされたテレビチャンネルの信号レベルが評価される。上記の評価は、信号のパラメータを測定することによりなされる。信号のパラメータは、アナログ信号の場合対応するＡＧＣ値であり、デジタル信号の場合は信号品質であってもよい。この値は参照のために記憶される。また、チャンネルリストにより、選択されチューニングされたテレビチャンネルに隣接するテレビチャンネルの近傍が特定される。これらのパラメータ値も記憶またはイメージされる。
【００６３】
ユーザが所望のチャンネルを選択するとき、上で示したように信号パラメータの評価に関する情報を含む所望のチャンネルの情報が最初に回復される。テレビのプロセッサも所望の信号に近い信号があるかどうか決定するために、そのチャンネルの情報を用いる。この方法は、例えばチューナの設計に応じた多数のキーパラメータを用いるが、１つの方法は、隣接する、またはその次に隣接するチャンネルのみを用いてもよい。いかなる場合であっても、これらの評価は、アルゴリズムにおけるエラー表示を提供することにより入力フィルタの「チューニング」を助けるために用いられる。特定の例において、「再チューニング」は隣接するチャンネルに入力フィルタの中心化を開始してもよく、様々な信号レベルに応じて、隣接チャンネルの存在によるエラーとなった所望の信号評価の読みを提供してもよい。これにより、受信した各信号の信号評価の記憶は、所望の信号チューニングの向上を助けることができる。
【００６４】
ブロック１６４において、本入力フィルタは、よりよい信号のために調整してもよい。これは、フィルタへの電圧制御信号を変更し、またはブースと制御信号を供給することにより達成される。上記の電圧制御信号は入力フィルタの周波数応答を調整する。周波数応答の変化により、透過可能周波数の中心周波数および／または透過可能周波数レンジを場合に応じて上がったり、下がったりする。その後、ブロック１６６において、ナローバンドＡＧＣ（ＮＢＡＧＣ）、ワイドバンドＡＧＥ（ＷＢＡＧＣ）、および／または信号品質（信号パラメータ値）は、チューニングされたテレビチャンネルに関して再度測定され、前に記憶された値（信号パラメータ値）と比較評価される。ナローバンドとワイドバンドのパラメータ値の分析は、好ましくは、隣接チャンネルのエネルギーがチューニングされているチャンネルから誤って知覚されたものではないことを確かめるために必要である。ナローバンドとワイドバンドの値は、テレビチャンネルがあり、隣接するテレビチャンネルがチューニングされているという知識に関して分析される。
【００６５】
ブロック１６８に示したように、隣接プロセスは、チューニングされた最適条件を示す信号パラメータ値が達成され、または調整可能レンジ条件が満たされるまで、上方および下方の位置両方において繰り返される。その後、新しいフィルタ設定が記憶される。一実施形態において、ＤＡＣ（デジタル・ツー・アナログコンバータ）が本入力フィルタに制御電圧を供給するために用いられ、その設定を記憶するためＥＥＰＲＯＭが使用される。各チャンネルは、それ自身の電圧値を持っていてもよい。
【００６６】
制御電圧信号がローカルオシレータと準独立であるとき、電圧制御値は名目電圧制御値のオフセットとして記憶され必要に応じて印加されてもよい。制御電圧信号がローカルオシレータと独立であるとき、その電圧値が記憶され、適宜制御電圧ジェネレータに供給される。
【００６７】
本発明は、ＲＦレシーバ、特にチューナの入力において少なくとも１つの電子的調整可能ＲＦフィルタを使用するものの能力を、アンテナ入力における予期せぬインピーダンスの存在に応じて入力フィルタ中心周波数を調整をレシーバが調整可能とすることにより、拡張する。一形式において、本発明は、ＲＦ信号がアナログかデジタルかどうかに応じて、ＡＧＣシステム、レシーバの下流のデジタル信号レベルメータその他のソースから入力を得るアルゴリズムとともに、必要な調整を決定するアルゴリズムを用いる。調整は、中心周波数および／または透過可能周波数レンジの調整等の周波数応答の変更の形式でもよい。
【００６８】
要約すると、本発明は、使用されるアンテナおよびケーブルによる実際の入力インピーダンスに基づき、ＲＦ入力フィルタをフィールドで動的に調整可能であることを利用している。本ＲＦ入力フィルタは、７５Ω入力において動作するように名目的に設計されている。これはデフォルト設定であり、ケーブル（ＣＡＴＶ）受信で使用する設定でもある。しかし、オフエア受信（アンテナ）がＲＦ信号入力として選択されたとき、性能向上が使用されたアンテナに基づいて入力フィルタの調整を通して可能である。この場合、最初にチューニングされたときチューナは名目的状態に設定されている。ＲＦ  ＡＧＣの性能測定が、信号品質の決定と同様になされる。これらの測定から向上が望ましいと示されたとき、入力フィルタ制御電圧が名目値から離れる方向に調整され（周波数のアップダウン）、向上したかどうかモニターされる。調整が完了すると、新しい制御電圧値が将来のチャンネル選択で読み出せるようにメモリの別の場所に記憶される。他のアンテナまたは構成が用いられる場合には、再調整が可能である。
【００６９】
調整範囲は非常に広い必要はなく、「トラッピング」状態を避けるために人為的に制限することもできることがテストから分かった。モニタリングシステムは、間違った信号への最適化をしないように、隣接チャンネルの存在を検出する信号環境の決定を含む。また、ＡＧＣ値を使用することが好ましい検出方法であるとしてここに示したが、信号品質（デジタル信号）、画像音声比率その他の計量を用いてもよいことを理解すべきである。
【００７０】
この発明は好ましい設計があるとして説明したが、本発明はこの開示の精神および範囲の中でさらに変更可能である。それゆえ、本出願はその一般的原理を用いて本発明の適応のバリエーションおよび使用をカバーすることを意図している。さらに、本出願は、本発明が関連し添付したクレームの限定の範囲に入る、当該技術分野における知られたまたは慣用のプラクティスとなる本開示からの逸脱をカバーすることを意図している。
【符号の説明】
【００７１】
２０  ＲＦ信号レシーバ
２１  テレビ信号
２２  アンテナ
２４  アンテナシステム
２６  アンテナ
２８  ケーブル
２９  インピーダンス
３０  アンテナ入力
３２  ケーブルテレビシステム
３４  ＣＡＴＶ
３６  ケーブル
３８  ＣＡＴＶ入力
４０  ＲＦチューナ
４２  チューニング制御回路／ロジック
４４  チャンネル選択回路／ロジック
４６  信号処理回路／ロジック
４８  インプットセレクタ
５０  ＴＳＲプロセッサ
５２  プログラム命令
５４  メモリ
５６  測定回路／ロジック
５８  制御電圧ジェネレータ
１００  チューニング可能フィルタ
１０２、１０４、１０６  可変容量ダイオード
１０８  電界効果トランジスタ
１１０  入力トランス
１１２  ブースト制御電圧スケーリング回路
２０２  Ｕ／Ｖスプリッタ
２０４  ＵＨＦ処理部分２０４
２０６  ＶＨＦ処理部分２０６
２０８、２１６  ＳＴ  ５Ｖフィルタ
２１０、２１８  ＲＦアンプ
２１２、２２０  ＤＴ  ５Ｖフィルタ
２１４  ミキサ／オシレータ
２２２  ＰＬＬ
２２４  ＤＡＣ
２２６  ＵＨＦローカルオシレータ
２２８  ＵＨＦミキサ
２３０  ＶＨＦローカルオシレータ
２３２  ＶＨＦミキサ
２３４  ダブルチューンド中間周波数フィルタ
２３６  中間周波数アンプ
２３８  ワイドバンドディテクタ
２４０  アンプ
２４２  ＳＡＷフィルタ
２４４  ニアバンドディテクタ
【図１】
2010098747.tif 000003
【図２】
2010098747.tif 000004
【図３】
2010098747.tif 000005
【図４】
2010098747.tif 000006
【図５】
2010098747.tif 000007
【図６】
2010098747.tif 000008
【図７】
2010098747.tif 000009
【図８】
2010098747.tif 000010
【図９】
2010098747.tif 000011